(57)【要約】      （修正有）【課題】エレクトレット不織布フィルタを用いるマスクは使用すると濾過性能が低下するという欠点を補うことを目的とし、加えて、使用後に付着した菌やウイルスを不活化できるケースを提供する。【解決手段】再荷電機能を有するマスクケースエレクトレット不織布を用いたマスク１を保管してコロナ放電に暴露するために、マスクを導体板２にマスクのゴムを利用して導体板裏側のフック３に固定する。マスクを固定した導体板は接地するとともに、ケース下部４の内部に収める。ケースの上蓋５にはコロナ放電用の針電極６を複数取り付けてある。針電極先端と導体板２との距離は３ｍｍ以上の間隔を持たせる。また針電極６の長さは１ｍｍ以上である。【選択図】図１
0003229634.tif 000002
【実用新案登録請求の範囲】
【請求項１】
マスクを保管すると同時に内部で高電圧放電を発生することのできるケース
【考案の詳細な説明】
【技術分野】
【０００１】  マスクを格納するケースであり、その中で高電圧放電を発生させて、マスクに電荷を与えるとともに、放電で発生するオゾンなどで、マスクに付着した菌やウイルスを不活化させる装置に関する技術分野である。
【背景技術】
【０００２】  マスクには、不織布に電荷をもたせたエレクトレットフィルタを使ったものが多く生産されている。使うにしたがってエレクトレットフィルタの電荷が減衰し、微粒子に対する濾過性能が低下することが問題である。その原因は例えばタバコ炎に含まれている有機性ガスなどによることが知られている。また、ウイルスなどがエレクトレットフィルタに付着しているため、再使用をすると感染の恐れも高くなるため、使い捨てが勧められており、再利用は推奨されておらず、再利用に適する装置が提供されていない。
【先行技術文献】
【特許文献】
【０００３】
【特許文献１】ポリプロピレンなどの原料を用いて不織布とし、それにコロナ放電などを用いて電荷を注入することでエレクトレットフィルタとすると、微粒子の濾過性能が高くできることが知られており、多くのマスクはエレクトレットを使っている。例えば特許文献特表２００９−５２６１４１（Ｐ２００９−５２６１４１Ａ）エレクトレット及びエレクトレットに有用な化合物  にはその組成と製造方法が記載されており、また、濾過する微粒子の性質によっては濾過性能が阻害されることが記されている。
【特許文献２】マスクを使用すると菌やウイルスが付着する。  特表２０１７−５１４０２４（Ｐ２０１７−５１４０２４Ａ）抗菌かつＰＭ２．５粒子の濾過をする立体型マスク用フィルターシート  にはエレクトレットフィルタに抗菌作用を有する薬品を塗布し、マスクに使用した場合に付着する菌の不活化を行うことが記されている。
【非特許文献】
【０００４】
【非特許文献１】静電気学会誌，２９，２（２００５）１３０−１３６  再荷電によるＰＰエレクトレットフィルタのエレクトレット性能復活と殺菌効果に関する研究では、エレクトレットフィルタの濾過性能が、界面活性剤を用いて洗浄することなどで低下すること、また性能の低下したエレクトレットフィルタを再度コロナ放電に暴露すると、濾過性能が向上することが示されている。また、コロナ放電に暴露することでフィルタに付着した菌の不活化ができることが実験で示されている。
【考案の概要】
【考案が解決しようとする課題】
【０００５】  本考案は、エレクトレット不織布フィルタを用いるマスクは使用すると濾過性能が低下するという欠点を補うことを目的とし、加えて、使用後に付着した菌やウィルスを不活化できる保管方法に関するものである。
【課題を解決するための手段】
【０００６】  このために使用後のマスクをケースに保管し、保管中に高電圧放電にマスクを暴露することでエレクトレットの性能の維持あるいは向上を行うとともに、マスクに付着した菌やウイルスの不活化を高電圧放電に伴って発生するオゾンなどの作用で行う。またマスクへの高電圧放電の暴露による濾過性能の維持・向上のための暴露時間は短くて良いため、マスクをケースに挿入する際、あるいは取り出す際などに行っても良い。高電圧放電は不平等電界を用いたコロナ放電の利用が好ましく、またその際に高い電圧を印加できるように加圧することは使用後のフィルタ濾過性能の維持・向上に効果的である。
【考案の効果】
【０００７】  マスクの濾過性能は使用すると低下することが知られている。０．３μｍ径の微粒子に対し、初期性能９０％の濾過効率のフィルタを使用することで、使用後７５％程度まで低下した濾過効率を８５％程度まで向上できる。また２０ｘ１００ｘ１８０ｍｍの密閉空間でコロナ放電（−４ｋＶ，５０μＡ）を行うことで、経過時間と共にオゾン濃度が１００ｐｐｍ程度まで高くなることから、殺菌・ウィルス不活化が可能であることが期待できる。
【図面の簡単な説明】
【０００８】
【図１】再荷電機能を有するマスクケースエレクトレット不織布を用いたマスク（１）を保管してコロナ放電に暴露するために、マスクを導体板（２）にマスクのゴムを利用して導体板裏側のフック（３）引っ張って固定する。マスクを固定した導体板は接地するとともに、ケース下部（４）の内部に収める。ケースの上蓋（５）にはコロナ放電用の針電極（６）を複数取り付けてある。針電極先端と導体板（２）との距離は３ｍｍ以上の間隔を持たせる。また針電極（６）の長さは１ｍｍ以上である。針電極には直径１２ミクロン程度のステンレスなどを用いても良い。上蓋（５）をかぶせ、指先などへの感電の恐れが無くなってから、針電極に高電圧を印加することで、針先にコロナ放電を発生させる。上蓋（５）とケース下部（６）とが完全に閉じていないと高電圧電源のスイッチ（７）が入らないような電気回路とする。なお接地（９）は電源（８）の接地側で良い。（１０）は循環ポンプ、（１１）は活性炭であり、ケースを密閉して高電圧放電を行うことで発生するオゾンを循環ポンプを用いて活性炭で分解するものであり、必要に応じてケースに付加する。また、コロナ放電の印加電圧が高いほどエレクトレットフィルタの再荷電に有効であることが判っているため、ポンプ（１０）を用いてケース内部を加圧することで、大気圧下より高い電圧を印加できるようにしても良い。
【考案を実施するための形態】
【０００９】  図１に示すケースに使用後のマスクを装着して保管する。マスクを装置に装着した後、高電圧を印加してコロナ放電を行う。必要があればポンプを用いて加圧する。マスクを再度使用する際にケースから取り出すが、先に高電圧を切ってからマスクを取り出すように回路を設計して感電の危険を避ける。また高電圧放電に伴いオゾンも発生し、残留するので、必要があれば循環ポンプと活性炭を用いてオゾン濃度を低減してからマスクを取り出す。
【実施例】
【００１０】  内部の寸法  厚さ２０ｍｍ、長さ１８０ｍｍ、幅１００ｍｍのケースに、図１に示すように、マスクを固定するための厚さ１ｍｍの金属導体板接地電極ならびに上蓋内部に長さ５ｍｍ、直径１２ミクロンのステンレススチール製ブラシ放電極を接地して、接地電極板に固定したマスクに対してコロナ放電を行う。放電極にはー４ｋＶの直流高電圧を印加する。この装置に使用済みマスクを保管し、その間にコロナ放電に暴露する。
【産業上の利用可能性】
【００１１】  マスクを使い捨てにせず、繰り返し使用できるため、資源の節約に寄与できる。
【符号の説明】
【００１２】１．マスク２．導体板３．フック４．ケース下部５．ケース上蓋６．放電極７．高電圧電源用スイッチ８．高電圧電源９．接地１０．加圧・循環ポンプ１１．活性炭層
【図１】
0003229634.tif 000003
【手続補正書】
【提出日】令和2年9月7日(2020.9.7)
【手続補正１】
【補正対象書類名】実用新案登録請求の範囲
【補正対象項目名】全文
【補正方法】変更
【補正の内容】
【実用新案登録請求の範囲】
【請求項１】
マスクを保管するケースの内部にマスクを伸張した状態で接することができる平板状の電極と該電極から垂直に少なくとも３ｍｍ以上離した位置に針状またはワイアー状の電極を複数設置して少なくとも１０００Ｖ以上の電圧を印加してコロナ放電を発生させて平板電極上に接して伸張固定したマスクをコロナ放電に暴露しつつ保管するマスクケース